(57)【特許請求の範囲】
【請求項１】
商品の商品情報の入力を受付ける商品情報受付手段と、
前記商品情報受付手段が受付けた前記商品情報に基づいて当該商品の販売登録を行う販売登録手段と、
操作キーに対する選択操作を受付ける操作受付手段と、
所定の前記操作キーにおいて、前記商品情報受付手段が前記商品情報を受付けた前記商品と同一の商品の販売登録を繰り返して行うリピート指示操作を兼用させるか否かを記憶部に設定する設定手段と、
前記記憶部に前記リピート指示操作を兼用させない旨が設定されている場合であって、且つ、前記操作受付手段が前記所定の操作キーの選択操作を受付けた場合には、当該リピート指示操作が無効であることを報知する報知手段と、を備え、
前記販売登録手段は、前記記憶部に前記リピート指示操作を兼用させる旨が設定されている場合であって、且つ、前記操作受付手段が前記所定の操作キーから前記リピート指示操作を受付けた場合には、当該リピート指示操作に基づいて商品の販売登録を行う、販売データ処理装置。
【請求項２】
前記設定手段が前記リピート指示操作を兼用させる前記所定の操作キーは、置数キーによる置数の入力をＪＡＮコードとして入力させるためのＪＡＮキーである、請求項１に記載の販売データ処理装置。
【請求項３】
前記設定手段が前記リピート指示操作を兼用させる前記所定の操作キーは、置数キーによる置数の入力を部門コードとして入力させるための部門キーである、請求項１に記載の販売データ処理装置。
【請求項４】
前記商品情報受付手段が前記商品情報の入力を受付けた後に、前記操作受付手段が前記所定の操作キーに対する選択操作を受付けた場合に、当該操作キーに対する前記リピート指示操作が有効か無効かを判定する判定手段をさらに備え、
前記報知手段は前記判定手段の判定結果に基づいて前記報知を行い、
前記販売登録手段は、前記判定手段の判定結果に基づいて前記リピート指示操作による前記商品の販売登録を行う、請求項１ないし３のいずれか１つに記載の販売データ処理装置。
【請求項５】
前記判定手段は、前記商品情報受付手段が前記商品情報の入力を受付けた後に、前記操作受付手段が前記所定の操作キーに対する選択操作を受付けた場合に、当該操作キーに対する１回目の選択操作を前記リピート指示操作として有効判定し、当該操作キーに対する２回目以降の選択操作は無効と判定する、請求項４に記載の販売データ処理装置。
【請求項６】
販売データ処理装置を制御するコンピュータを、
商品の商品情報の入力を受付ける商品情報受付手段と、
前記商品情報受付手段が受付けた前記商品情報に基づいて当該商品の販売登録を行う販売登録手段と、
操作キーに対する選択操作を受付ける操作受付手段と、
所定の前記操作キーにおいて、前記商品情報受付手段が前記商品情報を受付けた前記商品と同一の商品の販売登録を繰り返して行うリピート指示操作を兼用させるか否かを記憶部に設定する設定手段と、
前記記憶部に前記リピート指示操作を兼用させない旨が設定されている場合であって、且つ、前記操作受付手段が前記所定の操作キーの選択操作を受付けた場合には、当該リピート指示操作が無効であることを報知する報知手段と、として機能させ、
前記販売登録手段は、前記記憶部に前記リピート指示操作を兼用させる旨が設定されている場合であって、且つ、前記操作受付手段が前記所定の操作キーから前記リピート指示操作を受付けた場合には、当該リピート指示操作に基づいて商品の販売登録を行う、プログラム。
【発明の詳細な説明】
【技術分野】
【０００１】
本発明の実施形態は、販売データ処理装置およびプログラムに関する。
【背景技術】
【０００２】
ＰＯＳ（Point  Of  Sales）端末のキーボードには、直前に販売登録が行われた商品と同一の商品の販売登録を行うことができるリピートキーが設けられているものがあり、店員はこのリピートキーを用いて、同一の商品を複数個、販売登録する際に、その登録作業を省力化することができる。
【０００３】
ところで、近年、ＰＯＳ端末は小型化される傾向があり、キーボードの配設面積を削減するために、このリピートキーの機能を他のキーに兼用させる場合がある。一例として、置数キーによる置数の入力を商品コード（例えば、ＪＡＮ（Japanese  article  number）コード）として入力させるためのＪＡＮキーに、リピートキーと同様の機能を持たせたＰＯＳ端末が知られている。
【発明の概要】
【発明が解決しようとする課題】
【０００４】
しかしながら、従来技術においては、同一の商品を複数個、販売登録する場合に、ＪＡＮキーを押下する回数を数え間違える等して、販売登録処理において操作ミスが発生しやすいという課題があった。従って、リピート機能を兼用できるＰＯＳ端末において、このような操作ミスを生じにくくすることが望まれていた。
【課題を解決するための手段】
【０００５】
実施形態の販売データ処理装置は、商品情報受付手段と、販売登録手段と、操作受付手段と、設定手段と、報知手段とを備える。商品情報受付手段は、商品の商品情報の入力を受付ける。販売登録手段は、前記商品情報受付手段が受付けた前記商品情報に基づいて当該商品の販売登録を行う。操作受付手段は、操作キーに対する選択操作を受付ける。設定手段は、所定の前記操作キーにおいて、前記商品情報受付手段が前記商品情報を受付けた前記商品と同一の商品の販売登録を繰り返して行うリピート指示操作を兼用させるか否かを記憶部に設定する。報知手段は、前記記憶部に前記リピート指示操作を兼用させない旨が設定されている場合であって、且つ、前記操作受付手段が前記所定の操作キーの選択操作を受付けた場合には、当該リピート指示操作が無効であることを報知する。前記販売登録手段は、前記記憶部に前記リピート指示操作を兼用させる旨が設定されている場合であって、且つ、前記操作受付手段が前記所定の操作キーから前記リピート指示操作を受付けた場合には、当該リピート指示操作に基づいて商品の販売登録を行う。
【図面の簡単な説明】
【０００６】
【図１】図１は、本実施形態に係るＰＯＳ端末の構成を示す外観斜視図である。
【図２】図２は、キーボードに配置された操作キーの一例を示す図である。
【図３】図３は、ＰＯＳ端末の電装系の構成を示すブロック図である。
【図４】図４は、キー操作設定テーブルを説明する図である。
【図５】図５は、操作エラーの判定動作を説明する図である。
【図６】図６は、店員用ディスプレイに表示されるエラーメッセージの一例を示す図である。
【図７】図７は、ＰＯＳ端末が実行する販売登録処理の手順を示すフローチャートである。
【発明を実施するための形態】
【０００７】
本実施の形態においては、スーパーマーケット等の店舗において使用されるＰＯＳ端末に販売データ処理装置を適用する場合について説明する。
【０００８】
図１は、本実施形態にかかるＰＯＳ端末１の構成を概略的に示した外観斜視図である。ＰＯＳ端末１は、現金等を収容するためのドロワ１２の上に載置されており、このドロワ１２の引出し１２ａの開閉を制御する。ＰＯＳ端末１の正面側には、キーボード１３、モードキー１４等が設けられている。
【０００９】
図２は、キーボードに配置された操作キーの一例を示す図である。図２に示すように、
キーボード１３には、例えば、置数キー１３１、現計キー１３２、小計キー１３３、乗算キー１３４、ＪＡＮキー１３５、部門キー１３６等の操作キーが設けられている。置数キー１３１は、預かり金額などを置数するための操作キーである。現計キー１３２は、１商取引の代金を現金決済することを宣言するための操作キーである。小計キー１３３は、１商取引として販売登録が行われた商品の合計出力を指示するための操作キーである。乗算キー１３４は、置数の入力を販売点数（販売個数）として入力させるための操作キーである。ＪＡＮキー１３５は、置数の入力を商品コード（ＪＡＮコード）として入力させるための操作キーである。部門キー１３６は、置数の入力を部門コードとして入力させるための操作キーである。
【００１０】
また、ＪＡＮキー１３５、部門キー１３６は、後述するキー操作設定テーブル４１の設定によって、直前に販売登録が行われた商品と同一の商品の販売登録を行うリピート指示操作を兼用させることが可能である。
【００１１】
さらに、キーボード１３には、商品コードが割り当てられていない商品を登録する場合に用いられる部門選択キー１３７（図１参照）が設けられている。部門選択キー１３７には「部門１」、「部門２」…、或いは、「野菜」、「果物」、「雑貨」…等と部門ごとを識別する情報が示されている。
【００１２】
モードキー１４は、登録、点検、精算、設定などの各種業務モードを選択するためのキーで、鍵を用いて操作される。また、キーボード１３に近接する位置には、磁気カードに記憶された磁気情報を読み取るカードリーダ１１が設けられている。
【００１３】
ＰＯＳ端末１には、商品等に付与されたバーコードを読取るためのスキャナ１９が接続されている。また、ＰＯＳ端末１には、正面側には店員用ディスプレイ１５が、背面側には客用ディスプレイ１６が取り付けられている。店員用ディスプレイ１５および客用ディスプレイ１６は販売登録された商品の品名、価格や、販売登録の終了が宣言された１商取引の合計金額、釣銭額などを表示する。また、これらディスプレイとしては、液晶カラーディスプレイ等が用いられる。また、ＰＯＳ端末１は、レシート、ジャーナルやポイント券を印字するプリンタ１７を内蔵している。プリンタ１７によって印字されたレシート、ジャーナルやポイント券はＰＯＳ端末１の正面側に形成されたレシート発行口１８から発行される。
【００１４】
図３は、ＰＯＳ端末１の電装系の構成を示すブロック図である。ＰＯＳ端末１は、ＣＰＵ（Central  Processing  Unit）と、記憶部として機能するＲＯＭ（Read  Only  Memory）およびＲＡＭ（Random  Access  Memory）（いずれも不図示）等から構成されるコンピュータ構成の制御部５０を備えている。ＲＯＭは、ＣＰＵが実行する各種プログラムや各種データを記憶する。ＲＡＭは、ＣＰＵが各種プログラムを実行する際に一時的にデータやプログラムを記憶する。また、ＲＡＭは、商品の販売記録を示す販売データや、店員用ディスプレイ１５や客用ディスプレイ１６に表示する各種の画面表示データを記憶するものである。
【００１５】
制御部５０は、Ｉ／Ｏ機器制御部３４およびバス３２を介して、ブザー９、キーボード１３、店員用ディスプレイ１５、客用ディスプレイ１６、プリンタ１７、スキャナ１９、カードリーダ１１、ＨＤＤ４０等のＩ／Ｏ機器を制御し、ＰＯＳ端末１のシステム全体を制御するものである。また、制御部５０は、通信Ｉ／Ｆ３３を介してＬＡＮ（Local  Area  Network）で接続されたストアサーバ（不図示）と相互に通信を行うことが可能となっている。本実施の形態のＰＯＳ端末１は、１台のＰＯＳ端末１が単独で商品登録および商品販売登録等を行っても良い。或いは、店舗内に複数のＰＯＳ端末１が設置される場合には、これら複数のＰＯＳ端末１をストアサーバに接続して、商品登録および商品販売登録等の処理を一括して管理するように構成してもよい。
【００１６】
ここで、ＨＤＤ４０は、記憶部として機能するものであり、ＣＰＵが実行する各種プログラムの他、キー操作設定テーブル４１（図４参照）を格納している。
【００１７】
図４は、キー操作設定テーブル４１を説明する図である。図４に示すように、キー操作設定テーブル４１には、ＪＡＮキー１３５によるリピート指示操作と、部門キー１３６によるリピート指示操作とのそれぞれを有効または無効とするフラグ値（例えば、１または２）が格納される。
【００１８】
次に、制御部５０の機能について詳述する。制御部５０は、ＣＰＵがＲＯＭに格納されている本実施形態のプログラムをＲＡＭに展開して実行することによって、図３に示すように、表示制御部５１、設定部５２、入力受付部５３、キー操作判定部５４、報知部５５、販売登録部５６として機能する。
【００１９】
表示制御部５１は、Ｉ／Ｏ機器制御部３４を介して店員用ディスプレイ１５または客用ディスプレイ１６を制御し、店員用ディスプレイ１５または客用ディスプレイ１６に各種画面を表示させる。また、表示制御部５１は、販売登録処理時において、販売登録された商品の商品名や価格、個数、そして販売登録された全商品の合計金額等が示される登録画面１５ａ（図６参照）を店員用ディスプレイ１５に表示させる。また、表示制御部５１は、後述するキー操作判定部５４の判定結果に基づいて、直前に行われたキー操作が無効であることを示すエラーメッセージ１５ｂ（図６参照）を、店員用ディスプレイ１５に表示させる。
【００２０】
設定部５２は、ＪＡＮキー１３５、部門キー１３６のそれぞれについてリピート指示操作を兼用させるか否かを、キー操作設定テーブル４１（図４参照）に設定する。一例として、設定部５２は、表示制御部５１が店員用ディスプレイ１５に表示させた設定画面（不図示）等を介して各種入力を受付け、キー操作設定テーブル４１のフラグ値を設定する。フラグ値が「１：有効」と設定された場合、その操作キーは本来の操作機能に加えてリピート指示操作が兼用される旨が設定される。
【００２１】
即ち、ＪＡＮキー１３５に対するフラグ値が「１：有効」と設定された場合には、ＪＡＮキー１３５は、置数の入力を商品コード（ＪＡＮコード）として入力させる当初の機能に加え、リピート指示操作を受付けることが可能となる。また、部門キー１３６に対するフラグ値が「１：有効」と設定された場合には、部門キー１３６は、置数の入力を部門コードとして入力させる当初の機能に加え、リピート指示操作を受付けることが可能となる。
【００２２】
一方、フラグ値が「２：無効」と設定された場合、無効と設定された操作キーからリピート指示操作を受付けることは不可能となる。
【００２３】
尚、設定部５２は、通信Ｉ／Ｆ３３を介してＰＯＳ端末１にネットワーク接続されたサーバ（不図示）とデータ通信を行って、当該サーバからの入力を受付けるとし、これによりキー操作設定テーブル４１のフラグ値を設定する形態としてもよい。
【００２４】
入力受付部５３（操作受付手段）は、キーボード１３に設けられた各種操作キーに対する選択操作を受付ける。また、入力受付部５３（商品情報受付手段）は、スキャナ１９やキーボード１３からの入力を受付けることにより、販売登録を行う商品の商品コードや部門コード等の商品情報の入力を受付ける。
【００２５】
一例として入力受付部５３は、スキャナ１９がコードシンボルから読み取った商品コード（ＪＡＮコード）の入力を受付ける。また、入力受付部５３は、置数キー１３１が複数桁選択された後にＪＡＮキー１３５が選択された場合に、置数キー１３１から入力された置数を商品コードとして受付ける。また、入力受付部５３は、部門選択キー１３７が選択された場合にそのキーに該当する部門コードの入力を受付ける。さらに、入力受付部５３は、置数キー１３１が複数桁選択された後に部門キー１３６が選択された場合に、置数キー１３１から入力された置数を部門コードとして受付ける。
【００２６】
キー操作判定部５４（判定手段）は、ＪＡＮキー１３５または部門キー１３６の選択操作を受付けた場合に、その選択操作が操作エラーであるか否かを、キー操作設定テーブル４１に基づいて判定する。
【００２７】
図５は、操作エラーの判定動作を説明する図である。図５では、キー操作設定テーブル４１においてＪＡＮキー１３５によるリピート指示操作が「２：無効」と設定されている場合の判定動作について説明する。
【００２８】
キー操作判定部５４は、図５（１）に示すように、入力受付部５３がスキャナ１９から商品コードを受付けて、その後にＪＡＮキー１３５の選択操作を受付けた場合には、このＪＡＮキー１３５の選択操作が操作エラーであると判定する。
【００２９】
また、キー操作判定部５４は、図５（２）に示すように、入力受付部５３が置数キー１３１から商品コードを受付けて、その後１回目にＪＡＮキー１３５の選択操作を受付けた場合に、入力された置数を商品コードとして受付けると判定する。
【００３０】
また、キー操作判定部５４は、図５（２）に示すように、入力受付部５３が置数キー１３１から商品コードを受付けて、その後にＪＡＮキー１３５の選択操作を受付けた場合には、２回目以降に受付けたＪＡＮキー１３５の選択操作を操作エラーとして判定する。
【００３１】
また、キー操作判定部５４は、図５（３）に示すように、入力受付部５３が部門選択キー１３７から部門コードを受付けて、その後に部門キー１３６の選択操作を受付けた場合には、この部門キー１３６の選択操作が操作エラーであると判定する。
【００３２】
また、キー操作判定部５４は、図５（４）に示すように、入力受付部５３が置数キー１３１から部門コードを受付けて、その後１回目に部門キー１３６の選択を受付けた場合には、入力された置数を部門コードとして受付けると判定する。
【００３３】
また、キー操作判定部５４は、図５（４）に示すように、入力受付部５３が置数キー１３１から部門コードを受付けて、その後に部門キー１３６の選択を受付けた場合には、２回目以降に受付けた部門キー１３６の選択操作を操作エラーとして判定する。
【００３４】
報知部５５は、キー操作判定部５４により操作エラーが発生したと判定された場合に、表示制御部５１を制御して店員用ディスプレイ１５にエラーメッセージを表示させ、エラー発生を報知する。
【００３５】
図６は、店員用ディスプレイ１５に表示されるエラーメッセージの一例を示す図である。図６に例示するように、表示制御部５１は、登録画面１５ａ上にエラーメッセージ１５ｂをポップアップ表示する。図６に示すように、エラーメッセージ１５ｂには「操作手順エラー  この操作は禁止されています。」等と、直前に行われた操作、即ち、ＪＡＮキー１３５または部門キー１３６によるリピート指示操作が禁止されている旨をオペレータに報知するためのメッセージが表示される。尚、表示制御部５１は、「ＪＡＮキーによるリピート操作は禁止されています。」等とエラーの原因をより詳細に示すメッセージを表示してもよいし、「各商品についてバーコードをそれぞれスキャンして下さい」等と推奨される操作方法に係る情報を表示するとしてもよい。
【００３６】
また、報知部５５は、キー操作判定部５４により操作エラーが発生したと判定された場合に、Ｉ／Ｏ機器制御部３４を介してブザー９にブザー音を発生させて、エラー発生を報知する。
【００３７】
販売登録部５６は、入力受付部５３が受付けた商品コードまたは部門コードに基づいて、商品の販売登録を行う。また、販売登録部５６は、キー操作判定部５４によりリピート指示操作を受付けたと判定された場合に、そのリピート指示操作に基づいて商品の販売登録を行う。
【００３８】
次に、ＰＯＳ端末１が実行する販売登録処理の手順について説明する。図７は、ＰＯＳ端末１が実行する販売登録処理の手順を示すフローチャートである。
【００３９】
入力受付部５３は、スキャナ１９から商品コードの入力を受付けたか否かを判定する（ステップＳ１）。入力を受付けた場合（ステップＳ１：Ｙｅｓ）に、キー操作判定部５４は、ＪＡＮキー１３５が選択操作されたか否かを判定する（ステップＳ２）。ＪＡＮキー１３５が選択操作された場合（ステップＳ２：Ｙｅｓ）にはステップＳ１１に移行する。ＪＡＮキー１３５が選択操作されない場合（ステップＳ２：Ｎｏ）にはステップＳ１７に移行し、販売登録部５６は、ステップＳ１で受付けた商品コードの商品を販売登録する（ステップＳ１７）。
【００４０】
ステップＳ１：Ｎｏの場合には、入力受付部５３は、置数キー１３１から商品コードの入力を受付けたか否かを判定する（ステップＳ３）。入力を受付けた場合（ステップＳ３：Ｙｅｓ）に、キー操作判定部５４は、ＪＡＮキー１３５が選択操作されたか否かを判定する（ステップＳ４）。ＪＡＮキー１３５が選択操作されない間（ステップＳ４：Ｎｏ）はＪＡＮキー１３５の入力待ちをする（ステップＳ４）。ＪＡＮキー１３５が選択操作された場合（ステップＳ４：Ｙｅｓ）にはステップＳ５に移行する。
【００４１】
そして、キー操作判定部５４は、ＪＡＮキー１３５が２回以上選択操作されたか否かを判定する（ステップＳ５）。ＪＡＮキー１３５が２回以上選択操作された場合（ステップＳ５：Ｙｅｓ）にはステップＳ１１に移行する。ＪＡＮキー１３５が１回のみ選択操作された場合（ステップＳ５：Ｎｏ）にはステップＳ１７に移行し、販売登録部５６は、ステップＳ３で受付けた商品コードの商品を販売登録する（ステップＳ１７）。
【００４２】
ステップＳ３：Ｎｏの場合には、入力受付部５３は、部門選択キー１３７から部門コードを受付けたか否かを判定する（ステップＳ６）。入力を受付けた場合（ステップＳ６：Ｙｅｓ）には、キー操作判定部５４は、部門キー１３６が選択操作されたか否かを判定する（ステップＳ７）。部門キー１３６が選択操作されない場合（ステップＳ７：Ｎｏ）にはステップＳ１７に移行し、販売登録部５６は、ステップＳ６で受付けた部門コードを用いて商品の販売登録を行う（ステップＳ１７）。部門キー１３６が選択操作された場合（ステップＳ７：Ｙｅｓ）には、ステップＳ１５に移行する。
【００４３】
ステップＳ６：Ｎｏの場合には、入力受付部５３は、置数キー１３１から部門コードの入力を受付けたか否かを判定する（ステップＳ８）。入力を受付けない場合（ステップＳ８：Ｎｏ）には、ステップＳ１に戻る。入力を受付けた場合（ステップＳ８：Ｙｅｓ）には、キー操作判定部５４は、部門キー１３６が選択操作されたか否かを判定する（ステップＳ９）。部門キー１３６が選択操作されない間（ステップＳ９：Ｎｏ）には部門キー１３６の入力待ちをする（ステップＳ９）。部門キー１３６が選択操作された場合（ステップＳ９：Ｙｅｓ）にはステップＳ１０に移行する。
【００４４】
そして、キー操作判定部５４は、部門キー１３６が２回以上選択操作されたか否かを判定する（ステップＳ１０）。部門キー１３６が２回以上選択操作された場合（ステップＳ１０：Ｙｅｓ）にはステップＳ１５に移行する。部門キー１３６が１回のみ選択操作された場合（ステップＳ１０：Ｎｏ）にはステップＳ１７に移行し、販売登録部５６は、ステップＳ８で受付けた部門コードを用いて商品の販売登録を行う（ステップＳ１７）。
【００４５】
ステップＳ１１において、キー操作判定部５４は、キー操作設定テーブル４１においてＪＡＮキー１３５によるリピート指示操作が有効と設定されているか否かを判定する。有効と設定されている場合（ステップＳ１１：Ｙｅｓ）には、キー操作判定部５４は、ＪＡＮキー１３５によるリピート指示操作を受付ける（ステップＳ１２）。そして、販売登録部５６はこのリピート指示操作に基づいて、商品の販売登録を行う（ステップＳ１７）。即ち、販売登録部５６は、ステップＳ１またはステップＳ３で受付けた商品コードの商品を、ＪＡＮキー１３５が選択操作された回数分繰り返して販売登録する。
【００４６】
一方、リピート指示操作が有効と設定されていない場合（ステップＳ１１：Ｎｏ）には、リピート指示操作を受付けずステップＳ１３に移行する。そして、表示制御部５１は店員用ディスプレイ１５にエラーメッセージ（図６参照）を表示させる（ステップＳ１３）。また、報知部５５は、ブザー９にブザー音を発生させてエラー発生を報知する（ステップＳ１４）。
【００４７】
ステップＳ１５において、キー操作判定部５４は、キー操作設定テーブル４１において部門キー１３６によるリピート指示操作が有効と設定されているか否かを判定する。有効と設定されている場合（ステップＳ１５：Ｙｅｓ）には、キー操作判定部５４は、部門キー１３６によるリピート指示操作を受付ける（ステップＳ１６）。そして、販売登録部５６はこのリピート指示操作に基づいて商品の販売登録を行う（ステップＳ１７）。即ち、販売登録部５６は、ステップＳ６またはステップＳ８で受付けた部門コードの商品を、部門キー１３６が選択操作された回数分繰り返して販売登録する。
【００４８】
一方、リピート指示操作が有効と設定されていない場合（ステップＳ１５：Ｎｏ）には、このリピート指示操作を受付けずステップＳ１３に移行する。
【００４９】
そして、入力受付部５３は、現計キー１３２が選択操作されたか否かを判定する（ステップＳ１８）。現計キー１３２が選択操作されていない場合（ステップＳ１８：Ｎｏ）はステップＳ１に戻って、現計キー１３２が選択操作されるまでステップＳ１〜Ｓ１８の手順を繰り返し商品の販売登録を行う。現計キー１３２が選択操作された場合（ステップＳ１８：Ｙｅｓ）には、販売登録部５６は、販売登録された商品の合計金額を算出し、客から受け取った預かり金と合計金額とから釣銭を算出し、この一取引にかかる商品が決済されたことを登録する締め処理を行う（ステップＳ１９）。そして、レシート印字等を行って、この取引にかかる販売登録処理を終了する。
【００５０】
以上説明したとおり、本実施形態によれば、リピート指示操作が無効と設定されている場合には、当該リピート指示操作が無効な操作であることを報知し、当該リピート指示操作による商品の販売登録を行わない。これにより、同一の商品を複数個、販売登録する場合の操作ミスを生じにくくすることができる販売データ処理装置およびプログラムを提供することができる。
【００５１】
尚、リピート機能を有する操作キーとして、ＪＡＮキー１３５および部門キー１３６を例に挙げて説明したが、リピート機能を有する操作キーとしてその他の操作キーが適用されるとしてもよい。例えば、欧州諸国等においては、ＪＡＮキーの代わりに、置数の入力をＥＡＮ（European  article  number）コードとして入力させるためのＥＡＮキーが設けられる場合があるので、この場合には、リピート機能を有する操作キーとしてＥＡＮキーを適用するとしてもよい。
【００５２】
なお、本実施形態のＰＯＳ端末１で実行されるプログラムは、ＲＯＭ等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５３】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００５４】
本実施形態のＰＯＳ端末１で実行されるプログラムは、上述した各部（表示制御部５１、設定部５２、入力受付部５３、キー操作判定部５４、報知部５５、販売登録部５６）を含むモジュール構成となっており、実際のハードウェアとしてはＣＰＵ（プロセッサ）が上記ＲＯＭからプログラムを読み出して実行することにより上記各部が主記憶装置上にロードされ、表示制御部５１、設定部５２、入力受付部５３、キー操作判定部５４、報知部５５、販売登録部５６が主記憶装置上に生成されるようになっている。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…ＰＯＳ端末、１３、キーボード、１３１…置数キー、１３２…現計キー、１３３…小計キー、１３４…乗算キー、１３５…ＪＡＮキー、１３６…部門キー、１３７…部門選択キー、１５…店員用ディスプレイ、１５ａ…登録画面、１５ｂ…エラーメッセージ、４１…キー操作設定テーブル、５０…制御部、５１…表示制御部、５２…設定部、５３…入力受付部、５４…キー操作判定部、５５…報知部、５６…販売登録部。
【先行技術文献】
【特許文献】
【００５７】
【特許文献１】特開２０１０−６１２３２号公報
【図１】
0005457408.tif 000002
【図２】
0005457408.tif 000003
【図３】
0005457408.tif 000004
【図４】
0005457408.tif 000005
【図５】
0005457408.tif 000006
【図６】
0005457408.tif 000007
【図７】
0005457408.tif 000008